【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】  ａ）無線データパケットを送受信するために配置されたユーザ端末と、
ｂ）それぞれが無線データパケットを該ユーザ端末に送信するため、及びそれらを該ユーザ端末から受信するために配置されている、複数のネットワークアクセスポイントと、
ｃ）データパケットを該複数のネットワークアクセスポイントに送信するため、及びそれらを該複数のネットワークアクセスポイントから受信するため接続されたルータと、そして
ｄ）該ルータと関連する複数の制御ポイントとの組み合わせを含み、
各制御ポイントは
１）該複数のネットワークアクセスポイント内のネットワークアクセスポイントと結合されており、そして
２）      （Ａ）該ユーザ端末と通信するためにネットワークアクセスポイントを選択し、
（Ｂ）該ユーザ端末と該選択されたネットワークアクセスポイントとの間の無線リンクを管理し、そして
（Ｃ）あらかじめ確立された決定に従って、制御を維持するか、または制御を他の制御ポイントに移すように配置されている
装置。
【請求項２】  該選択されたネットワークアクセスポイントが、該制御ポイントの結合されたネットワークアクセスポイントと異なる請求項１の装置。
【請求項３】  各制御ポイントが該ユーザ端末と同時に通信するために少なくとも２つのネットワークアクセスポイントを選択するため配置される請求項１の装置。
【請求項４】  すべての選択されたネットワークアクセスポイントが該制御ポイントの結合されたネットワークアクセスポイントと異なる請求項３の装置。
【請求項５】  各制御ポイントは、該ユーザ端末が無線順方向リンクを割り当てられない、または無線逆方向リンクを割り当てられない、または無線順方向リンクも無線逆方向リンクも割り当てられない期間中、該ユーザ端末のためのデータリンクプロトコル情報をキャッシュするためさらに配置される請求項１の装置。
【請求項６】  該キャッシュされている制御ポイントは該ユーザ端末により最初に使用された該ネットワークアクセスポイントと結合される請求項５の装置。
【請求項７】  該制御ポイントは該ユーザ端末により最後に使用された該ネットワークアクセスポイントと結合される請求項５の装置。
【請求項８】  ａ）無線データパケットを送受信するため構成されたユーザ端末と、
ｂ）それぞれが無線データパケットを該ユーザ端末に送信するため、及びそれらを該ユーザ端末から受信するため構成された複数のネネットワークアクセスポイントと、
ｃ）データパケットを該ネットワークアクセスポイントに送信するため、及びそれらを該ネットワークアクセスポイントから受信するため接続された１つまたはそれより多いルータと、ここで各ネットワークアクセスポイントは１つのルータのみと接続されており、
ｄ）１つまたはそれ以上のホームエージェンと、
ここで各ホームエージェントは、
１）ルータと結合されており、そして
２）パケットを該ユーザ端末に順方向転送するため１つまたはそれより多い下記列挙のフォーリンエージェントを選択するために配置されており、
ｅ）複数のフォーリンエージェントと、
ここで各フォーリンエージェントは、
１）また、ネットワークアクセスポイントと結合されており、
２）ユーザ端末のホームエージェントから該ユーザ端末との通信を目下制御している該制御ポイントへデータパケットを順方向転送するために配置されており、そして
３）種々の制御ポイント間で特別のユーザ端末のための通信制御の転送をサポートしており
ｆ）１つのルータに関連する第１の複数の制御ポイントと
の組み合わせを含み、
ここで該第１の複数の制御ポイント内の各制御ポイントは
１）ネットワークアクセスポイントと結合されており、
２）  （Ａ）該ユーザ端末と通信するため１つまたはそれより多いネットワークアクセスポイントを選択し、
（Ｂ）該ユーザ端末と該選択されたネットワークアクセスポイントとの間の無線リンクを管理し、そして
（Ｃ）あらかじめ確立された決定に従って、制御を維持するか、または制御を他の制御ポイントに移すために配置されている
装置。
【請求項９】  該選択されたネットワークアクセスポイントが該制御ポイントの結合されたネットワークアクセスポイントと異なる請求項８の装置。
【請求項１０】  各制御ポイントが該ユーザ端末と同時に通信するために複数のネットワークアクセスポイントを選択するため配置される請求項８の装置。
【請求項１１】  すべての選択されたネットワークアクセスポイントが該制御ポイントの結合されたネットワークアクセスポイントと異なる請求項１０の装置。
【請求項１２】  各制御ポイントは、該ユーザ端末がトラフィックチャネルを割り当てられない期間中、該ユーザ端末のためのデータリンクプロトコル情報をキャッシュするためさらに配置される請求項８の装置。
【請求項１３】  該制御ポイントは該ユーザ端末により最初に使用された該ネットワークアクセスポイントと結合された該制御ポイントにおけるデータリンクプロトコル情報をキャッシュするために配置される請求項１２の装置。
【請求項１４】  該制御ポイントは該ユーザ端末により最後に使用された該ネットワークアクセスポイントと結合された該制御ポイントにおけるデータリンクプロトコル情報をキャッシュするために配置される請求項１２の装置。
【請求項１５】  移動ユーザへの送信のためにネットワークからのデータを受信するように動作するパケットルータと、
該パケットルータと結合された第１のネットワークアクセスポイントと、なお該第１のネットワークアクセスポイントは該パケットルータからのデータを受信するように動作し、
該パケットルータと結合された第２のネットワークアクセスポイントと、なお該第１のネットワークアクセスポイントは該パケットルータからのデータを受信するように動作し、
該第１のネットワークアクセスポイントに結合され、そして該第１のネットワークアクセスポイントと該移動ユーザとの間の結合を制御するように動作する第１の制御ポイントと、そして
該第１のネットワークアクセスポイントとは異なる該第２のネットワークアクセスポイントに結合された第２の制御ポイントとを含み、なお、該第２の制御ポイントは該第２のネットワークアクセスポイントと該移動ユーザとの間の結合を制御するように動作する
無線データ通信システム。
【請求項１６】  該第１の制御ポイントが該第１のネットワークアクセスポイントと該移動ユーザとの間の結合を制御するのと同時に、該第２の制御ポイントが該第２のネットワークアクセスポイントと該移動ユーザとの間の結合を制御するように動作する請求項１５記載の無線データ通信システム。
【請求項１７】  該データ送信は移動インターネットプロトコルを組込み、
本システムは該パケットルータに結合されたホームエージェントをさらに含み、該ホームエージェントは該移動ユーザと関連し、該ホームエージェントはデータパケットをこのシステム内の移動ユーザに転送するように動作する
請求項１５記載の無線データ通信システム。
【請求項１８】  該第１のネットワークアクセスポイントに結合され、そして該移動ユーザに転送されたデータパケットを受信するように動作する第１のフォーリンエージェントをさらに含む
請求項１７記載の無線データ通信システム。
【手続補正２】
【補正対象書類名】明細書
【補正対象項目名】０００３
【補正方法】変更
【補正の内容】
【０００３】
制御ポイント１２２はパケットルータ１０２に接続される。それは無線リンク１１４−１２０を管理する。管理は多くの機能を含む。例えば、ユーザ端末１１２が動き回るほどそれとネットワークアクセスポイント１０６−１１０との間のパス損失(path loss) は変化する。図１に示された状態では、制御ポイント１２２はユーザ端末１１２にネットワークアクセスポイント１０６−１１０の少なくとも１つによって受信されるために必要な最小量の電力で送信させるに違いない。移動局の送信電力は、それが他の移動局からの送信に干渉を引き起こすので最小化される。ユーザ端末がネットワークアクセスポイント１０６によってサービスされる区域からネットワークアクセスポイント１０８によってサービスされる区域に移動するときには、ネットワークアクセスポイント１０６からネットワークアクセスポイント１０８へのユーザ端末１１２の移管（handoff）があるであろう。制御ポイント１２２は移管を管理しなければならない。他の管理機能は当分野の技術者に周知である。